(57)【要約】【課題】  物品の梱包と展示とを兼ねる展示用箱において、蓋部における広告・宣伝用意匠が付される表示面が、粘着テープで損傷を受けるのを防止する。【解決手段】  展示用箱Ｘは、上方に開口１０Ｓを有する箱本体１０、蓋部２０、左右のフラップ部１４，１４を有する。蓋部２０は中間で二つ折り可能であり、閉止状態における上面に意匠が施される表示面２０ａが形成される。フラップ部１４は先端部１４ａの長さが開口１０Ｓの縦寸法と実質的に等しく、幅は開口１０Ｓの横寸法の実質的に半分の寸法である。梱包手順は、物品を収納したのち、蓋部２０を折り曲げて開口１０Ｓを閉止したのち、左右のフラップ部１４，１４を蓋部２０上面に折り重ね、先端部１４ａ，１４ａどうしの突き合わせ部に粘着テープを貼着する。蓋部２０の表示面２０ａがフラップ部１４で覆い隠され、粘着テープＴを接触させないから、蓋部２０の意匠性が損なわれない。【選択図】      図１
0003120170.tif 000002
【実用新案登録請求の範囲】
【請求項１】
上部に開口を有する直方体状の箱本体と、前記開口の一縁部に当該開口縁部に沿って折り曲げ可能に設けられ当該開口を閉止する蓋部と、前記蓋部を挟んだ対向する二つの開口縁部それぞれに折り曲げ可能に設けられたフラップ部とを有し、前記開口を閉止した状態における前記蓋部の上面に意匠が付される箱であって、前記フラップ部は、少なくとも先端部から所定幅領域が当該フラップ部を設けた開口縁部の長さと実質的に等しい長さ寸法を有すると共に、前記開口を閉止した状態における前記蓋部の上面に折り重ねたときに、前記先端部どうしが突き合わされるようになされていることを特徴とする展示用箱。
【請求項２】
前記フラップ部における前記箱本体と前記蓋部とに接する領域を切り欠いて、当該切欠部を前記箱本体と前記蓋部との連結部と成すと共に、前記フラップ部を前記蓋部の上面に折り重ねて先端部どうしを突き合わせた状態において、前記フラップ部それぞれの先端部間に形成される接合線を含む所定幅領域が粘着テープの幅寸法以上の貼着領域を形成するようになされている請求項１に記載の展示用箱。
【請求項３】
前記蓋部は、先端部に突起部が設けられると共に、先端部近傍及び中間部に箱本体の開口縁部と実質的に平行な折曲部が設けられ、前記蓋部と前記箱本体との境界部に挿通孔が設けられ、前記蓋部を前記折曲部で折り曲げることにより前記突起部を前記挿通孔へ挿入可能であり、前記突起部及び前記挿通孔は、前記フラップ部を前記蓋部の上面に折り重ねることにより突き合わせた先端部間に形成される接合線の延長線を挟んで、間に少なくとも粘着テープの幅寸法以上の間隔を空けて、左右に分散して形成されている請求項１に記載の展示用箱。
【考案の詳細な説明】
【技術分野】
【０００１】
本考案は、物品を輸送する過程では物品を収納して梱包する本来の機能を発揮し、物品を店頭などに陳列する際には物品の広告や宣伝用意匠等の表示機能を発揮する展示用箱に関する。
【背景技術】
【０００２】
特許文献１に、物品を輸送する時には梱包用の箱として機能し、物品を店頭などに陳列する際には広告や宣伝用の道具として利用できる展示用箱が記載されている。この展示用箱は、直方体状の箱本体の上縁に設けた蓋面部を中央部で二つ折りし、先端部の差込み片を箱本体における蓋面部の下方に設けた切込みへ挿入することにより起立状態にした蓋面部を、広告や宣伝用の表示面として利用するものである。
【０００３】
また、雑誌・カタログ・パンフレット等印刷物の梱包・展示用の箱の場合には、展示の際にこれら印刷物を取り出しやすくするため、箱本体の一部を切除可能にすることが提案されている。すなわち図６に示す如く、展示用箱Ｙの箱本体１において、蓋部２と対向する正面部３及びこれに隣接し上縁にフラップ部５，５が設けられた左右側面部４，４に切り取り線１ａを設けておく。そして図７（Ａ）に示す如く、鋏・カッターナイフ等の適宜切断器具Ｋを用いて箱本体１を切り取り線１ａで切断し、一部分６を切り離す。しかるのち、図７（Ｂ）に示すように、蓋部２を中間部の折曲線２ｂに沿って二つ折りにし、先端の差込み部２ａを、箱本体１と蓋部２との境界部に設けたスリット状の貫通孔７に挿入する。これにより、蓋部２を広告や宣伝用の表示面Ｓとして利用すると共に、収納物品の取り出しがきわめて容易な展示用箱Ｙを提供することができる。
【特許文献１】特開平０８−９１３５７公報
【考案の開示】
【考案が解決しようとする課題】
【０００４】
前記展示用箱Ｙにあっては、物品を収納して輸送する場合、図８（Ａ）に示すように左右のフラップ部５，５を折り曲げ、その上に同図（Ｂ）の如く蓋部２を折り畳んで、先端の差込み片２ａを箱本体１の内側に挿入したのち、同図（Ｃ）のように、箱本体１と蓋部２との間に粘着テープＴを貼着するのが一般的な梱包方法である。ところで、蓋部２における広告や宣伝用意匠が付される表示面Ｓは、箱本体１の開口を閉じた状態における蓋部２の上面となる領域であるから、梱包時に粘着テープＴが貼着されることとなる。展示用箱Ｙは、通常段ボールで製作されることが多いので、梱包をほどくために粘着テープＴを引き剥がす際に、表示面Ｓが損傷を受けやすく、その結果、展示物としての美観性が損なわれるおそれがあった。
【課題を解決するための手段】
【０００５】
前記問題点を解決するために本考案が採用した展示用箱の特徴とするところは、請求項１に記載する如く、上部に開口を有する直方体状の箱本体と、前記開口の一縁部に当該開口縁部に沿って折り曲げ可能に設けられ当該開口を閉止する蓋部と、前記蓋部を挟んだ対向する二つの開口縁部それぞれに折り曲げ可能に設けられたフラップ部とを有し、前記開口を閉止した状態における前記蓋部の上面に意匠が付される箱であって、前記フラップ部は、少なくとも先端部から所定幅領域が当該フラップ部を設けた開口縁部の長さと実質的に等しい長さ寸法を有すると共に、前記開口を閉止した状態における前記蓋部の上面に折り重ねたときに、前記先端部どうしが突き合わされるようになされていることである。なお前記において「直方体状」とは、立方体状のものを含む概念である。
【０００６】
前記展示用箱において、請求項２に記載する如く、前記フラップ部における前記箱本体と前記蓋部とに接する領域を切り欠いて、当該切欠部を前記箱本体と前記蓋部との連結部と成すと共に、前記フラップ部を前記蓋部の上面に折り重ねて先端部どうしを突き合わせた状態において、前記フラップ部それぞれの先端部間に形成される接合線を含む所定幅領域が粘着テープの幅寸法以上の貼着領域を形成するようになすことが望ましい。
【０００７】
さらに請求項３に記載する如く、前記蓋部は、先端部に突起部が設けられると共に、先端部近傍及び中間部に箱本体の開口縁部と実質的に平行な折曲部が設けられたものとし、前記蓋部と前記箱本体との境界部に挿通孔を設け、前記蓋部を前記折曲部で折り曲げることにより前記突起部を前記挿通孔へ挿入可能としたものにおいて、前記突起部及び前記挿通孔を、前記フラップ部を前記蓋部の上面に折り重ねることにより突き合わせた先端部間に形成される接合線の延長線を挟んで、間に少なくとも粘着テープの幅寸法以上の間隔を空けて、左右に分散して形成することが望ましい。
【考案の効果】
【０００８】
請求項１に記載した本考案に係る展示用箱によれば、フラップ部の少なくとも先端部から所定幅領域を当該フラップ部を設けた開口縁部の長さと実質的に等しい長さ寸法を有するものとすると共に、箱本体の開口を閉止した状態の蓋部上面へ折り重ねたときに、前記先端部どうしが突き合わされるようになしたので、箱梱包時にはフラップ部の上から粘着テープを貼着することができ、粘着テープを蓋部に接触させることがない。従って、物品を陳列する際に広告・宣伝用の表示面として利用される蓋部上面を梱包工程で損傷するおそれが無いので、展示状態の美観性を保証することができる。
【０００９】
請求項２に記載した本考案に係る展示用箱は、フラップ部における箱本体と蓋部とに接する領域を切り欠き、当該切欠部を箱本体と蓋部との連結部と成したので、蓋部を広告や宣伝のための起立状態に安定に保持することができる。また、フラップ部を蓋部の上面に折り重ねて先端部どうしを突き合わせた状態において、フラップ部それぞれの先端部間に形成される接合線を含む所定幅領域が粘着テープの幅寸法以上の貼着領域を形成するようになしたので、粘着テープを蓋部上面に接触させることなく、フラップ部を確実に貼着することができる。
【００１０】
請求項３に記載した本考案に係る展示用箱は、蓋部の先端部に設けた突起部及びこの突起部を挿入する挿通孔を、フラップ部を突き合わせたときに先端部間に形成される接合線の延長線を挟んで、間に少なくとも粘着テープの幅寸法以上の間隔が空くように、左右に分散して形成したので、フラップ部の上面に貼着した粘着テープの端部を、箱本体における蓋部の下側部分に貼り付ける際に、粘着テープが挿通孔を覆うことがない。挿通孔の周囲は強度が低下しているので、粘着テープで挿通孔を覆った場合、箱の梱包を解くため粘着テープを引き剥がしたときに、挿通孔周囲を破断するおそれがある。従って、本考案の如く粘着テープが挿通孔を覆わないようにすれば、粘着テープを引き剥がしたときに、粘着テープで挿通孔周囲を破損することがなくなる。
【考案を実施するための最良の形態】
【００１１】
本考案が対象とする展示用箱は、物品を輸送する際には梱包することができ、店頭などに物品を陳列する際には、広告や宣伝用の意匠を表示する機能を持つものである。すなわち、物品を供給元から店舗へ配送する際には通常の梱包用箱として利用され、配送された店舗では、物品を陳列する際に、この箱をそのまま広告・宣伝用の展示器具として利用できるものである。本考案に係る展示用箱は、段ボールで製作される場合が最も一般的と考えられるが、ボール紙その他の紙材料や、プラスチック材料等で製作することも可能である。箱の外形寸法は、収納する物品に応じて適宜決定される。また、収納する物品の種類には特に制限は無いが、本例では、雑誌・カタログ・パンフレット等の印刷物を収納・展示する場合を想定する。
【００１２】
図１は、本考案に係る展示用箱Ｘの一例を示すものであって、図（Ａ）は正面側から見た斜視図、図（Ｂ）は背面側から見た斜視図である。図示する展示用箱Ｘは、上方に開口１０Ｓを有する直方体状の箱本体１０と、箱本体１０における背面部１３側の開口縁部ｅに設けた蓋部２０と、箱本体１０における上記開口縁部ｅを挟む左右側面部１２，１２側の開口縁部ｆ，ｇそれぞれに対向して設けたフラップ部１４，１４と、正面部１１側の開口縁部ｈに設けた補強フラップ部１５とを有している。なお、開口１０Ｓにおいて、正面部１１と背面部１３とで挟まれる方向を縦、左右側面部１２，１２で挟まれる方向を横とする。
【００１３】
蓋部２０は、先端側にほぼ直角に折り曲げられた差込み部２１を有し、差込み部２１の先端縁部に所定間隔を空けて二つの突起部２１ａ，２１ａが形成されている。また、差込み部２１のほぼ中央位置に、例えば半円形の切欠孔２１ｂが形成されている。蓋部２０の中間部には折曲部２２と、適宜形状の切断部２３とが形成されている。また、箱本体１０の開口縁部ｅに沿って折曲線２４が設けられ、さらに、この折曲線２４上に所定間隔を空けてスリット状の二つの貫通孔１７，１７が形成されている。この貫通孔１７，１７は、後述するように、上記突起部２１ａ，２１ａを挿入可能なものである。上述した二つの突起部２１ａ，２１ａ及び二つの貫通孔１７，１７の間隔は、ほぼ等しく、且つ、少なくとも梱包に用いる粘着テープの幅寸法より大きく設定される。蓋部２０は、差込み部２１を除く部分が、箱本体１０の開口１０Ｓ全体を閉止し得る形状・寸法に設定される。また、蓋部２０における箱本体１０の外側に面する面、すなわち開口１０Ｓを閉止した状態における上面となる領域に、広告や宣伝用の意匠が印刷等で施される表示面２０ａが形成されている。
【００１４】
フラップ部１４，１４は、側面部１２，１２側の開口縁部ｆ，ｇに沿って折り曲げ可能であり、先端部１４ａの長さが開口縁部ｆ，ｇの長さ（開口１０Ｓの縦寸法）と実質的に等しい寸法を有し、各先端部１４ａ，１４ａから基端側の開口縁部ｆ，ｇまでの幅は、開口縁部ｆ，ｇ間の間隔寸法（開口１０Ｓの横寸法）の実質的に半分の寸法に設定されている。なお本例では、フラップ１４，１４における箱本体１０と蓋部２０とに接する部分を切り欠き、この切欠部分を、箱本体１０と蓋部２０との連結部１６となしている。この連結部１６によって、蓋部２０がほぼ垂直な起立状態から外側へ折れ曲がるのを阻止している。なお、フラップ部１４の先端部１４ａから連結部１６に至るまでの領域の幅は、梱包に使用する粘着テープの幅の少なくとも半分以上の寸法を有するように設定される。
【００１５】
正面部１１側に設けられた補強フラップ部１５は、その先端部１５ａから開口縁部ｈまでの幅寸法が、箱本体１０の深さ寸法とほぼ等しく設定され、開口縁部ｈに沿って箱本体１０内へ折り畳むことにより、正面部１１の裏面全体に当接するようなされている。なお開口縁部ｈのほぼ中央位置には、例えば円形の切欠孔１８が形成されている。
【００１６】
箱本体１０における左右側面部１２，１２と正面部１１とには、断続的に切込みを入れてなる切り取り線１０ａが設けられる。当該切り取り線１０ａに沿って、箱本体１０を切断することにより、正面部１１及び左右側面部１２，１２の一部分を、左右のフラップ部１４，１４及び補強フラップ部１５と共に切り離すことが可能である。なお、切除後の美観性を考慮する場合、切り取り線１０ａは前記連結部１６の端縁部と連続するように形成するとよい。また印刷物を収納する場合、最下部の印刷物を取り出しやすくするため、切り取り線１０ａの形態を、正面部１１側の中央部分が凹部１０ｂとなるように設定することも可能である。
【００１７】
前記展示用箱Ｘを用いて物品を梱包するには、図２（Ａ）に示すように、まず補強フラップ部１５を箱本体１０の内側へ折り込んで正面部１１を補強してから、例えば雑誌等の梱包すべき物品（図示せず）を箱本体１０内へ収納したのち、蓋部２０を開口縁部ｅの折曲線２４に沿って折り曲げ、先端側の差込み部２１を箱本体１０と収納物品との間に差し入れることにより、同図（Ｂ）の如く、開口１０Ｓを閉止する。このとき連結部１６も、所定の折り曲げ線に沿って折り畳まれる。なお、補強フラップ部１５を折り込むことによって切欠孔１８により形成される半円形の切欠と、蓋部２０の差込み部２１に設けた切欠孔２１ｂとを合致させたので、梱包を解くときに、この切欠孔２１ｂを利用することにより、蓋部２０を開き上げやすくなっている。
【００１８】
引き続き、図３（Ａ）に示すように、左右のフラップ部１４，１４を蓋部２０の上面に折り重ね、フラップ部１４，１４の先端部１４ａ，１４ａどうしを突き合わせる。これにより、蓋部２０の主要部、少なくとも意匠が施される表示面２０ａが覆い隠される。また本例のフラップ部１４，１４は、連結部１６の形成のために一部を切り欠いたので、幅寸法が狭くなっている箇所が有るが、先端部１４ａ，１４ａの突き合わせにより形成される接合線Ｌを挟む領域が、少なくとも梱包に使用する粘着テープの幅より大きい寸法Ｗを有していることが望ましい。これにより、図３（Ｂ）に示すように、粘着テープＴをフラップ部１４，１４の突き合わせ部に貼着して梱包を完了させたときに、粘着テープＴを蓋部２０に接触させることが決してないから、蓋部２０の意匠性を損なうおそれがない。
【００１９】
また、粘着テープＴの両端部は、普通、箱本体１０の正面部１１及び背面部１３にも貼着されるが、同図（Ｃ）に示すように、背面部１３側の貫通孔１７，１７は、間に粘着テープＴの幅寸法より広い間隔を空けて形成されているから、粘着テープＴが挿通孔１７を覆うおそれがない。よって、梱包を解くため粘着テープＴを引き剥がす際に、強度が低い挿通孔１７から箱本体１０が破断するという問題が解消される。
【００２０】
次に、前記展示用箱Ｘを用いた物品の展示態様について説明する。前記の如く物品が収納され梱包されている状態の展示用箱Ｘを以下のように加工する。はじめに、フラップ部１４，１４上面の粘着テープ等を除去して梱包を解き、図２、図３で示したのと反対の手順を踏んで、展示用箱Ｘを、図４（Ａ）に示す如く、蓋部２０及び左右フラップ部１４，１４を開いた状態とする。次いで、必要ならば収納されている物品を一旦外に取り出したのち、同図（Ｂ）に示すように、鋏・カッターナイフ等の適宜切断器具Ｋを用いて、箱本体１０を切り取り線１０ａで切断する。これにより、正面部の一部１１Ｘ及び左右側面部の各一部１２Ｘが、フラップ部１４，１４及び補強フラップ部１５と共に切り離される。
【００２１】
引き続き、図５（Ａ）（Ｂ）に示すように、蓋部２０を中間の折曲線２２で二つ折りすると共に、先端の差込み部２１に形成した突起部２１ａ，２１ａを、背面部１３側の挿通孔１７，１７に挿入せしめる。これにより、蓋部２０における意匠を施した表示面２０ａを、正面側を向くように設定できる。このとき、連結部１６によって箱本体１０と蓋部２０とが連結されているため、蓋部２０が後方へ折れ曲がるのが阻止されると同時に、挿通孔１７に突起部２１ａを挿入した差込み部２１が蓋部２０の前方への折れ曲がりを防止するので、蓋部２０の安定した起立状態を得ることができる。なお、蓋部２０における中間部の折曲線２２の途中に適宜形状の切断線２３を設けておけば、蓋部２０を二つ折りしたときに、切断部分によって、蓋部２０に所定の装飾形状２０ｂを付与できるから、意匠性の向上を図れる。
【図面の簡単な説明】
【００２２】
【図１】本考案に係る展示用箱の一実施形態を示すものであって、図（Ａ）は正面側から見た斜視図、図（Ｂ）は背面側から見た斜視図である。
【図２】本考案に係る展示用箱による物品の梱包手順を説明するためのものであって、図（Ａ）は蓋部を折り曲げる途中の状態を示す斜視図、図（Ｂ）は蓋部で開口を閉じた状態を示す斜視図である。
【図３】本考案に係る展示用箱による物品の梱包手順を説明するためのものであって、図（Ａ）はフラップ部を蓋部の上面に折り畳んだ状態を示す斜視図、図（Ｂ）はフラップ部の突き合わせ部分に粘着テープを貼着した状態の斜視図、図（Ｃ）はフラップ部の突き合わせ部分に粘着テープを貼着した状態を背面側から見た斜視図である。
【図４】本考案に係る展示用箱を物品展示用に加工する手順を説明するためのものであって、図（Ａ）は蓋部及びフラップ部を開いた状態を示す斜視図、図（Ｂ）は箱本体の一部を切り取り線で切り離した状態を示す斜視図である。
【図５】本考案に係る展示用箱を物品展示用に加工する手順を説明するためのものであって、図（Ａ）は蓋部を中間で二つ折りにして正面側に表示面を位置させた状態を示す斜視図、図（Ｂ）は同状態を背面側から見た斜視図である。
【図６】従来の展示用箱を示す斜視図である。
【図７】従来の展示用箱を物品展示用に加工する手順を説明するためのものであって、図（Ａ）は箱本体の一部を切り取り線で切除した状態を示す斜視図、図（Ｂ）は蓋部を中間で二つ折りにして正面側に表示面を位置させた状態を示す斜視図である。
【図８】従来の展示用箱における物品の梱包手順を説明するためのものであって、図（Ａ）はフラップ部を折り畳んだ状態を示す斜視図、図（Ｂ）は蓋部で開口を閉じた状態を示す斜視図、図（Ｃ）は蓋部と箱本体との間に粘着テープを貼着した状態を示す斜視図である。
【符号の説明】
【００２３】
Ｘ…展示用箱  １０…箱本体  １０ａ…切り取り線  １０Ｓ…開口  １１…正面部  １２…側面部  １３…背面部  １４…フラップ部  １４ａ…フラップ部の先端部  １５…補強フラップ部  １５ａ…補強フラップ部の先端部  １６…連結部  １７…挿通孔  １８…切欠孔  ２０…蓋部  ２０ａ…表示面  ２０ｂ…装飾形状  ２１…差込み部  ２１ａ…突起部  ２１ｂ…切欠孔  ２２…折曲線  ２３…切断線  ２４…折曲線  ｅ，ｆ，ｇ，ｈ…開口縁部  Ｌ…フラップ部の先端部どうしの接合線  Ｔ…粘着テープ
【図１】
0003120170.tif 000003
【図２】
0003120170.tif 000004
【図３】
0003120170.tif 000005
【図４】
0003120170.tif 000006
【図５】
0003120170.tif 000007
【図６】
0003120170.tif 000008
【図７】
0003120170.tif 000009
【図８】
0003120170.tif 000010